(57)【要約】      （修正有）【課題】玩具用シールの表面及び裏面共に、安全性の高いアクリル系素材で形成することによって子供が触れても安全な玩具用シールを提供する。【解決手段】玩具用のシール１０であって、前記シールの上方から、前記シールの表面を保護するアクリル系コーティング層１２と、表面に絵柄が表示され塩化ビニール素材で形成された基材層１４と、アクリル系エマルジョン型粘着剤を素材とする粘着材層１６の順に３層構造とした。【選択図】図１
0003114349.tif 000002
【実用新案登録請求の範囲】
【請求項１】
玩具用のシールであって、前記シールの上方から、前記シールの表面を保護するアクリル系コーティング層と、表面に絵柄が表示され塩化ビニール素材で形成された基材層と、アクリル系エマルジョン型粘着剤を素材とする粘着材層の順に３層構造とし、再剥離再貼付を可能とすると共に安全性が優れていることを特徴とした玩具用シール。
【請求項２】
請求項１において、前記基材層の表面に蓄光素材を塗布したことを特徴とした玩具用シール。
【請求項３】
請求項１又は２において、前記基材層の表面にホログラムシートを貼付したことを特徴とした玩具用シール。
【考案の詳細な説明】
【技術分野】
【０００１】
本考案は、玩具用シールに関するものである。
【背景技術】
【０００２】
従来、特許第３６１２３５５号公報「粘着剤及びその粘着部材」にあるように、粘着剤に有機溶剤を使用したシールがあった。
【０００３】
しかしながら、玩具用シールとして、粘着剤に有機溶剤を使用したシールでは、子供が粘着剤に触れて安全とは言えないものであった。そこで、子供が触れても安全であり、玩具として楽しめるように再剥離再貼付可能な玩具用シールが望まれていた。
【特許文献１】特許３６１２３５５号
【考案の開示】
【考案が解決しようとする課題】
【０００４】
そこで、本考案は、上記従来技術の問題点に斯かる実情に鑑みなされたもので、玩具用シールの表面及び裏面共に、安全性の高いアクリル系素材で形成することによって子供が触れても安全な玩具用シールを提供することを課題とする。
【課題を解決するための手段】
【０００５】
請求項１に記載の考案は、玩具用のシールであって、前記シールの上方から、前記シールの表面を保護するアクリル系コーティング層と、表面に絵柄が表示され塩化ビニール素材で形成された基材層と、アクリル系エマルジョン型粘着剤を素材とする粘着材層の順に３層構造とし、再剥離再貼付を可能とすると共に安全性が優れていることを特徴とする。
【０００６】
請求項２に記載の考案は、請求項１において、前記基材層の表面に蓄光素材を塗布したことを特徴とする。
【０００７】
請求項３に記載の考案は、請求項１又は２において、前記基材層の表面にホログラムシートを貼付したことを特徴とする。
【考案の効果】
【０００８】
請求項１の考案によれば、シールであって、前記シールの上方から、前記シールの表面を保護するアクリル系コーティング層と、表面に絵柄が表示され塩化ビニール素材で形成された基材層と、アクリル系エマルジョン型粘着剤を素材とする粘着材層の順に３層構造とし、玩具用シールの表面及び裏面共に、安全性の高いアクリル系素材で形成したことによって、子供が触れても安全な玩具用シールを提供することができる。
【０００９】
請求項２の考案によれば、前記基材層の表面に蓄光素材を塗布し、玩具用シールを明るい所から暗所に移動させると、蓄光素材が発光することによって、玩具用シールとしての趣向を高めることができる。
【００１０】
請求項３の考案によれば、前記基材層の表面にホログラムシートを貼付し、玩具用シールの表面に３次元の物体を表示したり、絵柄、図柄、文字を虹色に変化させることによって、玩具用シールとしての趣向を高めることができる。
【考案を実施するための最良の形態】
【００１１】
玩具用のシールであって、前記シールの上方から、前記シールの表面を保護するアクリル系コーティング層と、表面に絵柄が表示され塩化ビニール素材で形成された基材層と、アクリル系エマルジョン型粘着剤を素材とする粘着材層の順に３層構造とし、また前記基材層の表面に蓄光素材を塗布したり、ホログラムシートを貼付している。
【実施例１】
【００１２】
以下、図面を参照して本考案に係る玩具用シールの一実施例を詳細に説明する。図１は、玩具用シールの断面構造を示す図であり、図２は、玩具用シールの外観を示す図である。図１及び図２を用いて玩具用シールの構成の説明を行う。図１に示すように、玩具用シール１０は、３層構造に形成され、玩具用シール１０の表面である１層目には、アクリル系コーティング層１２、その下となる２層目には、基材層１４、更にその下となる３層目には、粘着材層１６となっている。
【００１３】
１層目となるアクリル系コーティング層１２は、玩具用シール１０の表面の層となり、次の層となる基材層１４の保護を行う層である。アクリル系コーティング層１２は、アクリル系の素材で形成され、子供が触れても安全である。
【００１４】
２層目となる基材層１４は、塩化ビニール素材又はポリプロピレン（ＰＰ）素材等で形成され、基材層１４の表面に、キャラクターを模した絵柄、図柄、文字などが印刷されている。１層目のアクリル系コーティング層１２によって、直接２層目に触れることがない。
【００１５】
３層目となる粘着材層１６は、アクリル系エマルジョン型粘着剤で形成されている。このアクリル系エマルジョン型粘着剤はアクリルのパターンと、近似したパターンを示し、子供が触れても安全である。
【００１６】
また、このアクリル系エマルジョン型粘着剤は、粘着材の溶媒として有機溶剤を使用しない環境にやさしいエマルジョン型を使用し、玩具用シール１０の再剥離、再貼付可能とする粘着材である。この粘着材層１６の接着力（Ｎ／２５ｍｍ）は、１８０度ピール剥離(ＪＩＳ  Ｚ−０２３７)の試験で「６」、保持力（ｈ）は、１ｋｇ／２５ｍｍ×２５ｍｍ（ＪＩＳ  Ｚ−０２３７）の試験で「２４＜」、ボールタック（Ｎｏ．）は、Ｊ．Ｄｏｗ法（ＪＩＳ  Ｚ−０２３７）の試験で「１４」である。また、各種被着体に、玩具用シール１０を貼付し、温度２３度・湿度５０％の環境下に１ヶ月放置した後、玩具用シール１０を剥離した際の粘着材の残りは、ＰＥ板、ＰＰ板、ＰＥＴ板、アクリル板、ガラス板いずれも、被着体からすっきりと剥離できる。
【００１７】
また、図示しないが玩具用シール１０の４層目として、玩具用シール１０の３層目の粘着材層１６を保護する剥離紙を設けるようにしても構わない。この剥離紙を設けることによって、玩具用シール１０の搬送を容易にすることができる。
【００１８】
以上説明したように、子供は、玩具用シール１０をあらゆる所に貼付たり、剥離させたりして楽しむことができると共に、玩具用シール１０の表面及び裏面共に、安全性の高いアクリル系素材で形成したことによって子供が触れても安全な玩具用シールを提供することが可能である。また、この玩具用シール１０は、再剥離、再貼付可能な程度の粘着力な為に、子供の髪の毛などの貼付く場合があっても容易に剥離することが可能である。この為、年齢や成長に応じて貼付するシールを変え、部屋の模様替えをも行うことができる。このように、好ましい実施例を挙げて本考案を説明したが、本考案はその実施例に限定されるものではなく、本考案の要旨の範囲内で種々に以下に示すように改変できる。
【００１９】
例えば、玩具用のシールとしての趣向を高める為に、２層目となる基材層１４の表面に、蓄光素材を塗布し、明るい所で光を蓄光し、暗所で、蓄光素材が発光することによって、趣向を高めることも可能である。例えば、蓄光素材でキャラクターなどの絵柄の輪郭に沿って塗布することによって、暗所にて、キャラクターの輪郭を発光するようにすることもできる。また、蓄光素材で文字となるように塗布すると、暗所にて、文字が発光するようにすることもできる。
【００２０】
この蓄光素材は、夜光塗料とも呼ばれ、可視光線、紫外線以下の波長の電磁波やα線などの放射線を受け、そのエネルギーを可視光線に変化させる性質をもつ蛍光体である。主にリン光体を主要顔料とした塗料で、蓄光型と発光型に分別される。蓄光型は、硫化亜鉛を母体とし、これに賦活剤として銅を添加し、融剤を混ぜて焼成した緑色の蛍光体が最も多く用いられ、これを使用した塗膜は、光の刺激で夜間でも十分長時間発光する。また、発光型は、蓄光型にラジウムやストロンチウムなど、α線、β線を放射する元素を微量に加えると自ら発光する。本考案には、蓄光素材として蓄光型の塗料を塗布している。また、先に示すように蓄光素材として、発光型の塗料を塗布することもできる。この蓄光素材は、１層目となるアクリル系コーティング層１２に覆われ、直接子供が触れることはできないようになっている。
【００２１】
この蓄光素材を塗布した玩具用シール１０で遊んでいる時は、例えばリビングルームの壁やダイニングルームの壁の明るい所で光を受けて蓄光され、寝る時には、先の部屋から剥がして子供部屋の壁やベッドのヘッドボードに貼り、部屋が暗くなると蓄光素材が明るく発光するので、子供にとって大きな楽しみになる。
【００２２】
また、更に玩具用シール１０として、趣向を高める為に、２層目となる基材層１４の表面に、ホログラムシートを貼付し、３次元の物体を表示したり、絵柄、図柄、文字を虹色に変化させることによって、より趣向を高めることができる。
【００２３】
玩具用シール１０は、壁紙装飾シールとして、子供達に夢のある空間（部屋）を与えることができる。なぜならば、子供はお気に入りのキャラクターたちに囲まれた空間が大好きであり、壁紙装飾シールを自分の身の回りに貼ることによって、より夢のある空間に変えられ、素晴らしい世界ができあがるからである。
【００２４】
この玩具用シール１０の効果は、簡単に貼って剥がせるシール素材で形成され、玩具用シール１０の大きさが、ミニサイズから超ビックサイズまでのバラエティーのあるサイズバリエーションで形成することが可能である。また、玩具用シール１０を剥がしても後が残らない安心材質であり、壁紙など貼る場所を選ばない為に、あらゆる場所に貼付することできる。
【００２５】
また、玩具用シール１０の基材層１４の上面にホログラムやメタリック、蓄光素材など、キャラクターのイメージを高める印刷技術を使った演出が可能である。また、簡単に張り替えられるので子供の成長に合わせて部屋のイメージを変えることができる。例えば、壁紙感覚で装飾できるのでイベントや季節ごとのシールを再剥離再貼付し、誕生日、春の花シリーズ、クリスマスシリーズ等に合わせて部屋の壁紙を変化させることができる。
【００２６】
さらに、玩具用シール１０は、任意な形のシールとして形成されており、その基材層１４の表面に絵柄が描かれている。子供は、好みに応じた大きさに玩具用シール１０を切断して、玩具用シール１０を壁などに貼付することが可能となっている。例えば、描かれた絵柄の外周に沿って切断するようにすることによって、工作を楽しむ効果も得られるものである。
【図面の簡単な説明】
【００２７】
【図１】本考案の一実施例である玩具用シールの断面構造を示す図である。
【図２】本考案の一実施例である玩具用シールの外観を示す図である。
【符号の説明】
【００２８】
１０    玩具用シール
１２    アクリル系コーティング層
１４    基材層
１６    粘着材層
【図１】
0003114349.tif 000003
【図２】
0003114349.tif 000004